(57)【要約】【課題】意に反するチャンネル切替操作や入力切替操作に起因する不都合を回避し得る表示制御装置を提供する。【解決手段】１つの入力源からの映像を表示部１６に１画面で表示させる１画面表示、および２つの入力源からの２つの映像を表示部１６に２画面で表示させる２画面表示を実行する制御部２１を備え、制御部２１は、１画面表示と２画面表示とを自動的に切り替えて実行させる自動切替モードに設定されかつ１画面表示を実行している状態において表示中の映像の入力源とは異なる入力源を選択する選択操作が行われたときに、２画面表示として、１画面表示の実行時に選択されていた入力源の映像と選択操作によって選択された入力源の映像とを表示させる。【選択図】図１
2007208872.tif 000002
【特許請求の範囲】
【請求項１】
１つの入力源からの映像を表示部に１画面で表示させる１画面表示、および２つの入力源からの２つの映像を前記表示部に２画面で表示させる２画面表示を実行する制御部を備えた表示制御装置であって、
前記制御部は、前記１画面表示と前記２画面表示とを自動的に切り替えて実行させる自動切替モードに設定されかつ前記１画面表示を実行している状態において表示中の映像の入力源とは異なる入力源を選択する選択操作が行われたときに、前記２画面表示として、前記１画面表示の実行時に選択されていた入力源の映像と当該選択操作によって選択された入力源の映像とを表示させる表示制御装置。
【請求項２】
前記制御部は、前記２画面表示の実行時において、前記１画面表示の実行時に選択されていた入力源の映像を主画面として表示させる請求項１記載の表示制御装置。
【請求項３】
前記制御部は、前記自動切替モードに設定されかつ前記２画面表示を実行している状態において表示中の両映像の入力源とは異なる入力源を選択する選択操作が行われたときに、前記２画面表示として、直前の前記１画面表示の実行時に選択されていた入力源の映像と当該選択操作によって選択された入力源の映像とを表示させる請求項１または２記載の表示制御装置。
【請求項４】
前記制御部は、前記自動切替モードに設定されかつ前記２画面表示を実行している状態において、所定の操作が行われたときに、前記１画面表示として、表示中の両映像のうちのいずれか一方の映像を表示させる請求項１から３のいずれかに記載の表示制御装置。
【請求項５】
前記制御部は、前記１画面表示または前記２画面表示の実行時において表示中の映像の入力源と同じ入力源を選択する選択操作が行われたときに、当該操作直前の表示状態を維持する請求項１から４のいずれかに記載の表示制御装置。
【請求項６】
請求項１から５のいずれかに記載の表示制御装置と、前記表示部とを備えているテレビ。
【発明の詳細な説明】
【技術分野】
【０００１】
本発明は、１画面表示および２画面表示を実行可能な表示制御装置およびテレビに関するものである。
【背景技術】
【０００２】
一般家庭での利用形態のように、１台のテレビを複数のユーザーが利用する利用形態において、各ユーザー間で番組の好みが異なるときには、テレビのチャンネル選局を巡っていわゆるチャンネル争いが起こることがある。この場合、例えば、ユーザーの１人にとって重要な場面をそのユーザーが鑑賞しているときに、他のユーザーがチャンネル切替や外部入力への入力切替を無断で行ったときには、その重要な場面を見逃してしまうという不都合が生じる。一方、特開平６−３８１３０号公報には、２つのチャンネルの映像を表示する２画面表示が可能な２画面表示テレビジョン受信機（以下「テレビジョン受信機」ともいう）が開示されている。このテレビジョン受信機は、操作部、チャンネル／入力選択部、２画面処理部、表示選択部およびシステム制御部等を備え、システム制御部が、操作部から出力された操作信号に従い、チャンネル／入力選択部、２画面処理部および表示選択部等を制御することにより、１画面表示と２画面表示との切り替えが制御されている。したがって、上記のような利用形態においても、番組の好みの異なる２人のユーザーがそれぞれ好みの番組を同時に鑑賞することが可能となっている。
【特許文献１】特開平６−３８１３０号公報（第３−４頁、第１図）
【発明の開示】
【発明が解決しようとする課題】
【０００３】
ところが、この従来のテレビジョン受信機には、以下の問題点がある。すなわち、このテレビジョン受信機では、操作部を操作することによって１画面表示と２画面表示との切り替えが行われる。つまり、このテレビジョン受信機では、１画面表示から２画面表示への切り替えには、操作部の操作が必要となっている。このため、ユーザーの１人が１画面表示で番組を鑑賞しているときに、２画面表示用の操作キーを操作することなく他のユーザーがチャンネル切替や入力切替を行ったときには、切り替え後のチャンネルや外部入力の映像が１画面表示されて、切り替え前のチャンネルの番組の鑑賞が不可能となる。したがって、このようなときには、重要な場面を見逃してしまうという不都合が依然として生じる。
【０００４】
本発明は、かかる問題点に鑑みてなされたものであり、意に反するチャンネル切替操作や入力切替操作に起因する不都合を回避し得る表示制御装置およびテレビを提供することを主目的とする。
【課題を解決するための手段】
【０００５】
上記目的を達成すべく本発明に係る表示制御装置は、１つの入力源からの映像を表示部に１画面で表示させる１画面表示、および２つの入力源からの２つの映像を前記表示部に２画面で表示させる２画面表示を実行する制御部を備えた表示制御装置であって、前記制御部は、前記１画面表示と前記２画面表示とを自動的に切り替えて実行させる自動切替モードに設定されかつ前記１画面表示を実行している状態において表示中の映像の入力源とは異なる入力源を選択する選択操作が行われたときに、前記２画面表示として、前記１画面表示の実行時に選択されていた入力源の映像と当該選択操作によって選択された入力源の映像とを表示させる。なお、本発明における入力源とは、チャンネル切替操作等によって切替え可能な各チャンネルの放送信号や、入力切替操作等によって切替え可能な外部装置からの各外部信号をいう。また、放送信号や外部信号に重畳されているデータ等は、その放送信号や外部信号と同じ入力源であるものとする。
【０００６】
この表示制御装置では、自動切替モードに設定されかつ１画面表示を実行している状態において表示中の映像の入力源とは異なる入力源を選択する選択操作が行われたときに、制御部が、２画面表示として、１画面表示の実行時に選択されていた入力源の映像と選択操作によって選択された入力源の映像とを表示させる。このため、例えば、１台の表示制御装置を複数のユーザーが利用するような利用形態において、自動切替モードに予め設定しておくことで、ユーザーの１人が１画面表示で映像を鑑賞しているときに、他のユーザーがチャンネル切替や入力切替等の異なる入力源を選択する選択操作を行ったとしても、その映像の表示を確実に継続させることができる。したがって、この表示制御装置によれば、意に反するチャンネル切替操作や入力切替操作によって鑑賞していた映像の表示が中断されて重要な場面を見逃してしまうような不都合を確実に回避することができる。
【０００７】
また、本発明に係る表示制御装置は、上記の表示制御装置において、前記制御部は、前記２画面表示の実行時において、前記１画面表示の実行時に選択されていた入力源の映像を主画面として表示させる。
【０００８】
この表示制御装置では、制御部が、２画面表示の実行時において、１画面表示の実行時に選択されていた入力源の映像を主画面として表示させる。このため、意に反するチャンネル切替操作や入力切替操作によって２画面表示に切り替わった際に、１画面表示の実行時に選択していた入力源、つまり鑑賞していた番組の音声を主画面の音声として引き続いて出力することができる。
【０００９】
また、本発明に係る表示制御装置は、上記の表示制御装置において、前記制御部は、前記自動切替モードに設定されかつ前記２画面表示を実行している状態において表示中の両映像の入力源とは異なる入力源を選択する選択操作が行われたときに、前記２画面表示として、直前の前記１画面表示の実行時に選択されていた入力源の映像と当該選択操作によって選択された入力源の映像とを表示させる。
【００１０】
この表示制御装置では、自動切替モードに設定されかつ２画面表示を実行している状態において表示中の両映像の入力源とは異なる入力源を選択する選択操作が行われたときに、制御部が、２画面表示として、直前の１画面表示の実行時に選択されていた入力源の映像と選択操作によって選択された入力源の映像とを表示させる。このため、１画面表示の実行時にチャンネル切替や入力切替を行って２画面表示に切り替わった状態において、チャンネル切替や入力切替を更に行ったとしても、１画面表示の実行時に選択していた入力源の映像Ｐが引き続き表示されるため、意に反するチャンネル切替操作や入力切替操作に起因する不都合をより確実に回避することができる。
【００１１】
さらに、本発明に係る表示制御装置は、上記の表示制御装置において、前記制御部は、前記自動切替モードに設定されかつ前記２画面表示を実行している状態において、所定の操作が行われたときに、前記１画面表示として、表示中の両映像のうちのいずれか一方の映像を表示させる。
【００１２】
この表示制御装置では、自動切替モードに設定されかつ２画面表示を実行している状態において、所定の操作が行われたときに、制御部が、１画面表示として、表示中の両映像のうちのいずれか一方の映像を表示させる。このため、自動切替モードを解除する操作を行うことなく自動切替モードを維持した状態で所定の操作だけで２画面表示から１画面表示に切り替えることができる。このため、意に反する選局操作や入力切替操作に起因する不都合を確実に回避しつつ、操作性を十分に向上させることができる。
【００１３】
また、本発明に係る表示制御装置は、上記の表示制御装置において、前記制御部は、前記１画面表示または前記２画面表示の実行時において表示中の映像の入力源と同じ入力源を選択する選択操作が行われたときに、当該操作直前の表示状態を維持する。
【００１４】
この表示制御装置では、１画面表示または２画面表示の実行時において表示中の映像の入力源と同じ入力源を選択する選択操作が行われたときに、制御部が、操作直前の表示状態を維持する。このため、例えば、誤った操作によって鑑賞している映像の入力源と同じ入力源を選択したとしても、不要な表示切替が行われる事態を確実に防止することができる。
【００１５】
さらに、本発明に係るテレビは、上記の表示制御装置と、前記表示部とを備えている。
【００１６】
このテレビは、上記の表示制御装置と表示部とを備えている。このため、上記の表示制御装置が有する効果と同様の効果を実現することができる。
【発明を実施するための最良の形態】
【００１７】
以下、本発明に係る表示制御装置およびテレビの最良の形態について、添付図面を参照して説明する。図１に示すプロジェクションテレビ１（以下、単に「テレビ１」ともいう）は、本発明に係るテレビの一例であって、同図に示すように、本体部２およびリモコン３を備えて構成されている。本体部２は、選局処理部１１、第１チューナ１２ａ、第２チューナ１２ｂ（以下、両チューナ１２ａ，１２ｂを区別しないときには「チューナ１２」ともいう）、信号切替部１３、第１映像音声処理部１４ａ、第２映像音声処理部１４ｂ、２画面映像音声処理部１５、表示部１６、スピーカ１７、受光部１８、キー入力処理部１９、切替モード保持部２０および制御部２１を備えている。この場合、選局処理部１１、第１チューナ１２ａ、第２チューナ１２ｂ、信号切替部１３、第１映像音声処理部１４ａ、第２映像音声処理部１４ｂ、２画面映像音声処理部１５、受光部１８、キー入力処理部１９、切替モード保持部２０および制御部２１によって本発明に係る表示制御装置が構成される。
【００１８】
選局処理部１１は、制御部２１の制御に従い、第１チューナ１２ａおよび第２チューナ１２ｂに対して所定のチャンネルの放送信号Ｓｂを抽出させる。第１チューナ１２ａおよび第２チューナ１２ｂは、一例として、ＢＳデジタル放送、１１０度ＣＳデジタル放送、地上デジタル放送および地上アナログ放送を受信可能にそれぞれ構成されて、選局処理部１１の制御に従い、選択されたチャンネルの放送信号Ｓｂ（本発明における入力源の一例）を図外のアンテナで受信した放送波から抽出して信号切替部１３に出力する。
【００１９】
信号切替部１３は、制御部２１の制御に従い、図１に示す入力端子２２ａ，２２ｂ，２２ｃ（以下、区別しないときには「入力端子２２」ともいう）を介して入力する外部装置１００ａ〜１００ｃからの外部信号Ｓｅ（本発明における入力源の他の一例）、および第１チューナ１２ａ，１２ｂによって抽出される放送信号Ｓｂ（以下、放送信号Ｓｂおよび外部信号Ｓｅを区別しないときには「入力信号Ｓｃ」ともいう）のうちの１つまたは２つの入力信号Ｓｃを切り替えて出力する。
【００２０】
第１映像音声処理部１４ａおよび第２映像音声処理部１４ｂは、信号切替部１３から出力される入力信号Ｓｃに基づく映像信号Ｄｐおよび音声信号Ｄｖを２画面映像音声処理部１５に出力する。２画面映像音声処理部１５は、制御部２１の制御に従い、第１映像音声処理部１４ａおよび第２映像音声処理部１４ｂから出力される映像信号Ｄｐを映像Ｐ１〜Ｐ５（図２，３，６〜８，１０，１１参照：以下、映像Ｐ１〜Ｐ５を区別しないときには「映像Ｐ」ともいう）の表示用の映像信号Ｓｐに変換して表示部１６に出力する。この場合、２画面映像音声処理部１５は、後述する１画面表示の実行時において、両映像音声処理部１４ａ，１４ｂのいずれか一方からの映像信号Ｄｐに基づく映像Ｐを表示部１６の全面に１画面で表示する１画面表示用の映像信号Ｓｐを出力する。また、２画面映像音声処理部１５は、後述する２画面表示の実行時において、両映像音声処理部１４ａ，１４ｂのいずれか一方からの映像信号Ｄｐに基づく映像Ｐを主画面Ｐｍとすると共に、両映像音声処理部１４ａ，１４ｂのいずれか他方からの映像信号Ｄｐに基づく映像Ｐを副画面Ｐｓとする２画面表示用の映像信号Ｓｐを出力する。
【００２１】
また、２画面映像音声処理部１５は、第１映像音声処理部１４ａおよび第２映像音声処理部１４ｂから出力される音声信号Ｄｖを増幅して音声信号Ｓｖとしてスピーカ１７に出力する。この場合、２画面映像音声処理部１５は、第１映像音声処理部１４ａおよび第２映像音声処理部１４ｂの双方から音声信号Ｄｖが出力されているときには、制御部２１の制御に従い、主画面Ｐｍとして表示する映像Ｐの入力源からの音声信号Ｄｖに基づく音声信号Ｓｖを出力する。
【００２２】
表示部１６は、一例として、光学エンジンおよびスクリーンパネル（いずれも図示せず）を備え、２画面映像音声処理部１５から出力された映像信号Ｓｐに基づく映像Ｐを表示する。具体的には、表示部１６は、映像信号Ｓｐに基づいて光源ランプからの光を光変調してスクリーンパネルに背面側から投射することで映像Ｐを表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられる。
【００２３】
スピーカ１７は、２画面映像音声処理部１５から出力された音声信号Ｓｖに基づく音声を出力する。なお、本明細書における「音声」には、人の声のみならず、鳥の鳴き声、風の音および音楽等の各種の「音」が含まれる。受光部１８は、リモコン３から出力される赤外線信号Ｓｉを受光して復調信号Ｓｄを出力する。キー入力処理部１９は、受光部１８から出力された復調信号Ｓｄに対応する（つまりリモコン３の操作キーに対応する）操作信号Ｓｏを制御部２１に出力する。切替モード保持部２０は、制御部２１の制御に従い、リモコン３におけるモード切替キー３５（図２参照）の操作に基づいて設定される自動切替モードおよび通常モード（各モードについては後述する）を示すデータを記憶する。
【００２４】
制御部２１は、キー入力処理部１９から出力された操作信号Ｓｏに従い、選局処理部１１、信号切替部１３、第１映像音声処理部１４ａ、第２映像音声処理部１４ｂ、２画面映像音声処理部１５および表示部１６を制御する。また、制御部２１は、リモコン３のモード切替キー３５が操作されたときには、図４に示す切替モード設定処理４０を実行することにより、１画面表示と２画面表示との切り替えを自動で行う自動切替モード、および両者の切り替えを手動で行う通常モードのいずれかを設定する。
【００２５】
ここで、１画面表示とは、チューナ１２によって抽出された放送信号Ｓｂ、および外部装置１００ａ〜１００ｃによって出力された外部信号Ｓｅのいずれか１つに基づく映像Ｐを表示部１６の全面に１画面で表示する表示形態をいう。また、２画面表示とは、各放送信号Ｓｂおよび各外部信号Ｓｅのいずれか２つに基づく２つの映像Ｐを表示部１６に２画面で表示する表示形態をいう。また、制御部２１は、リモコン３のチャンネルキー３２、アップダウンキー３３および信号切替キー３４（図２参照）が操作されたとき（本発明における選択操作が行われたとき）には、図５に示す選局・入力切替処理５０を実行すことにより、選択された入力源の映像Ｐを１画面表示および２画面表示のいずれかの表示形態で表示させると共にその入力源の音声を出力させる。
【００２６】
リモコン３は、図２に示すように、本体部２とは別体に形成されている。また、リモコン３は、電源キー３１、チャンネルキー３２、アップダウンキー３３、信号切替キー３４、モード切替キー３５、表示切替キー３６および矢印キー３７などの各種操作キーが配列されて構成され、これらの操作キーが操作されたときに、各操作キーに対応する赤外線信号Ｓｉを出力（送信）する。
【００２７】
次に、テレビ１の全体的な動作について、図面を参照して説明する。なお、テレビ１は、初期状態においては、通常モードに設定されて、通常モードを示すデータが切替モード保持部２０に記憶されているものとする。また、初期状態においては、制御部２１は、映像Ｐを１画面で表示するものとする。このテレビ１では、リモコン３の電源キー３１が操作された際に、表示部１６の光学エンジンに電源が供給されて、光源ランプが発光する。また、制御部２１が選局処理部１１を制御することにより、直前の電源切断の直前に選局されていたチャンネル（例えばＢＳ１０２チャンネル）の放送信号Ｓｂを第１チューナ１２ａに抽出させる。また、制御部２１は、信号切替部１３を制御することにより、第１チューナ１２ａからの放送信号Ｓｂを第１映像音声処理部１４ａに出力させる。
【００２８】
次いで、第１映像音声処理部１４ａが信号切替部１３から出力された放送信号Ｓｂに基づく映像信号Ｄｐおよび音声信号Ｄｖを２画面映像音声処理部１５に出力する。続いて、２画面映像音声処理部１５が、映像信号Ｄｐを変換して、１画面表示用の映像信号Ｓｐを出力する。また、２画面映像音声処理部１５は、音声信号Ｄｖを増幅して音声信号Ｓｖをスピーカ１７に出力する。次いで、表示部１６の光学エンジンが光源からの光を映像信号Ｓｐに基づいて光変調してスクリーンパネルに投射することにより、図２に示すように、ＢＳ１０２チャンネルの映像Ｐ１が１画面で表示される。また、音声信号Ｓｖに基づくＢＳ１０２チャンネルの音声がスピーカ１７から出力される。
【００２９】
次に、例えば、ＢＳ１０２チャンネルに代えてＢＳ１０３チャンネルを選択（選局）する際には、リモコン３におけるアップダウンキー３３を操作する。この際に、リモコン３が、アップダウンキー３３に対応する赤外線信号Ｓｉを出力し、受光部１８が、赤外線信号Ｓｉを受光して復調信号Ｓｄを出力する。次いで、キー入力処理部１９がその復調信号Ｓｄに対応する操作信号Ｓｏを制御部２１に出力する。これに応じて、制御部２１は、図５に示す選局・入力切替処理５０を実行する。この選局・入力切替処理５０では、制御部２１は、切替モード保持部２０に記憶されているデータに基づいてテレビ１が自動切替モードに設定されているか否かを判別する（ステップ５１）。
【００３０】
この場合、初期状態において通常モードに設定されているため、制御部２１は、自動切替モードに設定されていないと判別して、通常モードでの選局・入力切替処理を実行する（ステップ５２）。具体的には、制御部２１は、操作信号Ｓｏに従って選局処理部１１を制御することにより、ＢＳ１０２チャンネルに代えて、ＢＳ１０３チャンネルの放送信号Ｓｂを第１チューナ１２ａに抽出させる。次いで、信号切替部１３、第１映像音声処理部１４ａ、２画面映像音声処理部１５、表示部１６およびスピーカ１７が制御部２１の制御に従って上記の動作と同様に動作することにより、図３に示すように、ＢＳ１０３チャンネルの映像Ｐ２が表示部１６に１画面で表示されると共に、ＢＳ１０３チャンネルの音声がスピーカ１７から出力される。
【００３１】
ここで、このテレビ１では、意に反するチャンネル切替操作や入力切替操作によって鑑賞中の映像Ｐ（番組）の入力源が他の入力源に切り替えられて、その映像Ｐの表示が中断されるのを回避することが可能となっている。具体的には、表示の中断を回避したい映像Ｐ（例えば、ＢＳ１０３チャンネルの映像Ｐ２）が１画面で表示されている状態において、リモコン３のモード切替キー３５を操作する。この際に、リモコン３が、モード切替キー３５に対応する赤外線信号Ｓｉを出力し、キー入力処理部１９が受光部１８によって復調された復調信号Ｓｄに対応する操作信号Ｓｏを出力する。
【００３２】
これに応じて、制御部２１は、図４に示す切替モード設定処理４０を実行する。この切替モード設定処理４０では、制御部２１は、切替モード保持部２０に記憶されているデータを参照して、モード切替キー３５が操作された時点において自動切替モードに設定されているか否かを判別する（ステップ４１）。この場合、この例では、初期状態において通常モードに設定されているため、制御部２１は、自動切替モードを示すデータを切替モード保持部２０に記憶させることによって自動切替モードに設定して（ステップ４２）、切替モード設定処理４０を終了する。これにより、鑑賞中の映像Ｐ（この例では、ＢＳ１０３チャンネルの映像Ｐ２）の表示中断を回避することが可能な状態となる。
【００３３】
ここで、上記のように自動切替モードに設定された状態において、ＢＳ１０３チャンネルの映像Ｐ２を鑑賞しているユーザーとは異なる他のユーザーが、ＢＳ１０３チャンネル以外の他のチャンネル（本発明における表示中の映像の入力源とは異なる入力源であって、例えば６チャンネル）に対応するチャンネルキー３２を無断で操作したとき、つまり、映像Ｐ２を鑑賞しているユーザーの意に反してチャンネル切替操作が行われたときには、チャンネルキー３２に対応する操作信号Ｓｏの出力に応じて、制御部２１が選局・入力切替処理５０を実行する。この場合、制御部２１は、ステップ５１において自動切替モードに設定されていると判別して、次いで、現在の表示形態が１画面表示の状態であるか否かを判別する（ステップ５３）。
【００３４】
この場合、このチャンネルキー３２の操作時点における表示形態が１画面表示のため、制御部２１は、チャンネルキー３２の操作によって選択された入力源が現在表示中の映像Ｐの入力源と異なるか否かを判別する（ステップ５４）。この場合、現在表示中の映像Ｐ２の入力源がＢＳ１０３チャンネルの放送信号Ｓｂで、チャンネルキー３２の操作によって選択された入力源が６チャンネルの放送信号Ｓｂであるため、つまり両入力源が異なるため、制御部２１は、表示中の映像Ｐ（この場合、映像Ｐ２）と新たに選択された入力源の映像Ｐ（図６に示す映像Ｐ３）とを２画面で表示させる（ステップ５５）。
【００３５】
具体的には、制御部２１は、選局処理部１１を制御することにより、第１チューナ１２ａにＢＳ１０３チャンネルの放送信号Ｓｂを引き続き抽出させると共に、第２チューナ１２ｂに６チャンネルの放送信号Ｓｂを抽出させる。また、制御部２１は、信号切替部１３を制御することにより、第１チューナ１２ａからの放送信号Ｓｂを第１映像音声処理部１４ａに出力させると共に、第２チューナ１２ｂからの放送信号Ｓｂを第２映像音声処理部１４ｂに出力させる。次いで、第１映像音声処理部１４ａおよび第２映像音声処理部１４ｂが信号切替部１３から出力された放送信号Ｓｂに基づく映像信号Ｄｐおよび音声信号Ｄｖを２画面映像音声処理部１５にそれぞれ出力する。
【００３６】
続いて、２画面映像音声処理部１５は、第１映像音声処理部１４ａからの映像信号Ｄｐに基づく映像Ｐを主画面Ｐｍとすると共に第２映像音声処理部１４ｂからの映像信号Ｄｐに基づく映像Ｐを副画面Ｐｓとする２画面表示用の映像信号Ｓｐを出力する。また、２画面映像音声処理部１５は、第１映像音声処理部１４ａからの音声信号Ｄｖを増幅して音声信号Ｓｖをスピーカ１７に出力する。次いで、表示部１６およびスピーカ１７が制御部２１の制御に従って上記の動作と同様に動作することにより、図６に示すように、ＢＳ１０３チャンネルの映像Ｐ２および６チャンネルの映像Ｐ３がそれぞれ主画面Ｐｍおよび副画面Ｐｓとして表示部１６に２画面で表示されると共に、ＢＳ１０３チャンネルの音声がスピーカ１７から出力される。このため、映像Ｐ２を鑑賞していたユーザーの意に反してチャンネル切替操作が行われたとしても、映像Ｐ２の表示が中断される事態が回避されて、映像Ｐ２の鑑賞が引き続いて可能な状態が維持される。この場合、上記したステップ５４において、選択された入力源が表示中の映像Ｐの入力源と同じときには、制御部２１は、ステップ５５を実行することなく、つまり選択操作直前の表示状態を維持したまま選局・入力切替処理５０を終了する。
【００３７】
一方、映像Ｐ２，Ｐ３が２画面で表示されている状態において、映像Ｐ２を鑑賞しているユーザーが例えば１チャンネルに対応するチャンネルキー３２を意に反して（誤って）操作したり、このユーザーとは異なる他のユーザーがそのチャンネルキー３２を無断で操作したときには、チャンネルキー３２に対応する操作信号Ｓｏの出力に応じて、制御部２１が選局・入力切替処理５０を実行する。この場合、制御部２１は、ステップ５３において、現在の表示形態が１画面表示ではないと判別して、チャンネルキー３２の操作によって新たに選択された入力源が現在表示中の映像Ｐ（この例では映像Ｐ２，Ｐ３）の入力源のいずれとも異なるか否かを判別する（ステップ５６）。この場合、新たに選択された入力源がこれらのいずれとも異なるため、制御部２１は、新たに選択された入力源の映像Ｐを副画面Ｐｓとして表示させる（ステップ５７）。
【００３８】
具体的には、制御部２１は、操作信号Ｓｏに従って選局処理部１１を制御することにより、６チャンネルの放送信号Ｓｂに代えて、１チャンネルの放送信号Ｓｂを第２チューナ１２ｂに抽出させる。次いで、信号切替部１３、第１映像音声処理部１４ａ、２画面映像音声処理部１５および表示部１６が制御部２１の制御に従って上記の動作と同様に動作することにより、図７に示すように、ＢＳ１０３チャンネルの映像Ｐ２および１チャンネルの映像Ｐ４がそれぞれ主画面Ｐｍおよび副画面Ｐｓとして表示部１６に２画面で表示される。この場合、上記したステップ５６において、選択された入力源が表示中の映像Ｐの入力源と同じときには、制御部２１は、ステップ５７を実行することなく、つまり選択操作直前の表示状態を維持したまま選局・入力切替処理５０を終了する。
【００３９】
次に、２画面で表示されている映像Ｐ２，Ｐ４のうちの映像Ｐ４を１画面で表示させるときには、リモコン３における右向きまたは左向きの矢印キー３７を操作して、図８に示すように、副画面Ｐｓとして表示されている映像Ｐ４を主画面Ｐｍに切り替える。次いで、２画面表示から１画面表示への表示切り替えを実行させるためのリモコン３の表示切替キー３６（図２参照）を操作する（本発明における所定の操作を行う）。この際に、キー入力処理部１９が表示切替キー３６に対応する操作信号Ｓｏを制御部２１に出力して、これに応じて、制御部２１は、図９に示す表示切替処理６０を実行する。この表示切替処理６０では、制御部２１は、切替モード保持部２０に記憶されているデータを参照して、モード切替キー３５が操作された時点において自動切替モードに設定されているか否かを判別する（ステップ６１）。
【００４０】
この場合、この時点では、自動切替モードに設定されているため、制御部２１は、現在の表示形態が２画面表示の状態であるか否かを判別する（ステップ６２）。この場合、この時点における表示形態が２画面表示のため、制御部２１は、主画面Ｐｍとして表示している映像Ｐ（この場合、映像Ｐ４）を１画面で表示させる（ステップ６３）。具体的には、制御部２１は、２画面映像音声処理部１５を制御して、第２映像音声処理部１４ｂからの映像信号Ｄｐに基づく映像Ｐを表示部１６の全面に１画面で表示する１画面表示用の映像信号Ｓｐを出力させる。次いで、表示部１６が制御部２１の制御に従って上記の動作と同様に動作することにより、１チャンネルの映像Ｐ４が表示部１６の全面に１画面で表示される。なお、ステップ６１において自動切替モードに設定されていないと判別したとき、またはステップ６２において２画面表示の状態ではないと判別したときには、制御部２１は、ステップ６３を実行することなく、つまり２画面表示から１画面表示への表示切り替えを実行することなく表示切替処理６０を終了する。
【００４１】
次に、１チャンネルの映像Ｐ４に代えて、外部装置１００ａから出力される外部信号Ｓｅに基づく映像Ｐを鑑賞するときには、モード切替キー３５を操作して自動切替モードから通常モードに切り替える。この際に、キー入力処理部１９がモード切替キー３５に対応する操作信号Ｓｏを出力する。これに応じて、制御部２１は、切替モード設定処理４０を実行する。この場合、制御部２１は、ステップ４１において、自動切替モードに設定されていると判別して、通常モードを示すデータを切替モード保持部２０に記憶させることにより、テレビ１を通常モードに設定する（ステップ４３）。次いで、リモコン３の信号切替キー３４を操作する。この際に、キー入力処理部１９が信号切替キー３４に対応する操作信号Ｓｏを制御部２１に出力する。これに応じて、制御部２１は、選局・入力切替処理５０を実行する。
【００４２】
この場合、制御部２１は、ステップ５１において、自動切替モードに設定されていないと判別して、通常モードでの選局・入力切替処理を実行する（ステップ５２）。具体的には、制御部２１は、操作信号Ｓｏに従って信号切替部１３を制御することにより、チューナ１２からの放送信号Ｓｂに代えて、外部装置１００ａからの外部信号Ｓｅを第１映像音声処理部１４ａに出力させる。続いて、第１映像音声処理部１４ａ、２画面映像音声処理部１５、表示部１６およびスピーカ１７が制御部２１の制御に従って上記の動作と同様に動作することにより、１チャンネルの映像Ｐ４に代えて、図１０に示すように、外部装置１００ａからの外部信号Ｓｅに基づく映像Ｐ５が表示部１６に１画面で表示されると共に、１チャンネルの音声に代えて外部装置１００ａからの音声がスピーカ１７から出力される。
【００４３】
この場合、意に反するチャンネル切替操作や入力切替操作によって鑑賞している映像Ｐ５の表示が中断されるのを回避するときには、上記したように、リモコン３のモード切替キー３５を操作する。この際に、制御部２１は、キー入力処理部１９からの操作信号Ｓｏの出力に応じて切替モード設定処理４０を実行することにより、テレビ１を自動切替モードに設定する。この状態において、映像Ｐ５を鑑賞しているユーザーの意に反して例えば６チャンネルに対応するチャンネルキー３２が操作されたときには、そのチャンネルキー３２に対応する操作信号Ｓｏの出力に応じて制御部２１が選局・入力切替処理５０のステップ５１，５３〜５５を実行することにより、図１１に示すように、映像Ｐ５および６チャンネルの映像Ｐ３がそれぞれ主画面Ｐｍおよび副画面Ｐｓとして表示部１６に２画面で表示される。
【００４４】
以下、制御部２１は、チャンネルキー３２、アップダウンキー３３および信号切替キー３４のいずれかの操作に応じて選局・入力切替処理５０を実行する。また、制御部２１は、モード切替キー３５の操作に応じて切替モード設定処理４０を実行すると共に、自動切替モードが設定されかつ２画面表示を実行している状態における表示切替キー３６の操作に応じて表示切替処理６０を実行する。
【００４５】
このように、このテレビ１によれば、自動切替モードに設定されかつ１画面表示を実行している状態において表示中の映像Ｐの入力源とは異なる入力源を選択する選択操作が行われたときに、制御部２１が、２画面表示として、１画面表示の実行時に選択されていた入力源の映像Ｐと選択操作によって選択された入力源の映像Ｐとを表示させることにより、例えば、１台のテレビを複数のユーザーが利用するような利用形態において、自動切替モードに予め設定しておくことで、ユーザーの１人が１画面表示で映像Ｐを鑑賞しているときに、他のユーザーがチャンネル切替や入力切替を行ったとしても、その映像Ｐの表示を確実に継続させることができる。したがって、このテレビ１によれば、意に反するチャンネル切替操作や入力切替操作によって鑑賞していた映像Ｐの表示が中断されて重要な場面を見逃してしまうような不都合を確実に回避することができる。
【００４６】
また、このテレビ１によれば、制御部２１が、２画面表示の実行時において、１画面表示の実行時に選択されていた入力源の映像Ｐを主画面Ｐｍとして表示させることにより、意に反するチャンネル切替操作や入力切替操作によって２画面表示に切り替わった際に、１画面表示の実行時に選択していた入力源、つまり鑑賞していた番組の音声を引き続いて出力することができる。
【００４７】
また、このテレビ１によれば、自動切替モードが設定されかつ１画面表示から２画面表示に切り替えて表示している状態において表示中の両映像Ｐの入力源とは異なる入力源を選択する選択操作が行われたときに、制御部２１が、２画面表示として、１画面表示の実行時に選択されていた入力源の映像と選択操作によって選択された入力源の映像とを表示させることにより、１画面表示の実行時にチャンネル切替や入力切替を行って２画面表示に切り替わった状態において、チャンネル切替や入力切替を更に行ったとしても、１画面表示の実行時に選択していた入力源の映像Ｐが引き続き表示されるため、意に反するチャンネル切替操作や入力切替操作に起因する不都合をより確実に回避することができる。
【００４８】
また、このテレビ１によれば、自動切替モードが設定されかつ２画面表示を実行している状態において、表示切替キー３６が操作されたときに、制御部２１が、１画面表示として、表示中の両映像Ｐのうちのいずれか一方の映像Ｐを表示させることにより、自動切替モードを解除する操作を行うことなく自動切替モードを維持した状態で表示切替キー３６の操作だけで２画面表示から１画面表示に切り替えることができる。このため、意に反する選局操作や入力切替操作に起因する不都合を確実に回避しつつ、操作性を十分に向上させることができる。
【００４９】
また、このテレビ１によれば、１画面表示または２画面表示の実行時において表示中の映像の入力源と同じ入力源を選択する選択操作が行われたときに、制御部２１が、操作直前の表示状態を維持させることにより、例えば、チャンネルキー３２、アップダウンキー３３または信号切替キー３４を誤って操作することで、鑑賞している映像Ｐの入力源と同じ入力源を選択したとしても、不要な表示切替が行われる事態を確実に防止することができる。
【００５０】
なお、本発明は、上記の構成に限定されない。例えば、光学エンジンおよびスクリーンパネルを有する表示部１６を備えたプロジェクションテレビ１に適用した例について上記したが、ＣＲＴ、液晶表示パネルおよびプラズマディスプレイ等で構成された表示部を備えたテレビに適用することもできる。また、表示部１６を備えることなく外部の表示装置に映像Ｐを表示させる表示制御装置に適用することもできる。また、表示切替キー３６が操作されたときに２画面表示から１画面表示への切り替えを行う例について上記したが、矢印キー３７等の表示切替キー３６以外の他の操作キーが操作されたときにこの切り替えを行う構成を採用することもできる。また、自動切替モードに設定された状態において制御部２１が１画面表示と２画面表示とを自動的に切り替える例について上記したが、通常モードにおいて、表示切替キー３６を操作することで、１画面表示と２画面表示とを任意に切り替える構成を採用することができるのは勿論である。
【図面の簡単な説明】
【００５１】
【図１】テレビ１の構成を示すブロック図である。
【図２】テレビ１の正面図である。
【図３】映像Ｐ２を１画面で表示している状態の表示画面図である。
【図４】切替モード設定処理４０のフローチャートである。
【図５】選局・入力切替処理５０のフローチャートである。
【図６】映像Ｐ２，Ｐ３を２画面で表示している状態の表示画面図である。
【図７】映像Ｐ２，Ｐ４を２画面で表示している状態の表示画面図である。
【図８】主画面と副画面とを切り替えた状態の映像Ｐ２，Ｐ４の表示画面図である。
【図９】表示切替処理６０のフローチャートである。
【図１０】映像Ｐ５を１画面で表示している状態の表示画面図である。
【図１１】映像Ｐ５，Ｐ３を２画面で表示している状態の表示画面図である。
【符号の説明】
【００５２】
１  プロジェクションテレビ、３  リモコン、１６  表示部、２１  制御部、３５  モード切替キー、３６  表示切替キー、１００ａ〜１００ｃ  外部装置、Ｐ１〜Ｐ５  映像、Ｓｃ  入力信号、Ｓｂ  放送信号、Ｓｅ  外部信号
【図１】
2007208872.tif 000003
【図２】
2007208872.tif 000004
【図３】
2007208872.tif 000005
【図４】
2007208872.tif 000006
【図５】
2007208872.tif 000007
【図６】
2007208872.tif 000008
【図７】
2007208872.tif 000009
【図８】
2007208872.tif 000010
【図９】
2007208872.tif 000011
【図１０】
2007208872.tif 000012
【図１１】
2007208872.tif 000013